(57)【要約】【課題】文字情報を用いて記録された映像信号より所望の部分を容易に検索する。【解決手段】指定検索文字記憶部０１０１は外部（ユーザ）より指定された検索文字ｃｈａ１を記憶する。次に、文字情報検出部０１０２は、テレビ信号に多重された文字情報ｃｈａ２を検出する。次に、文字情報比較部０１０３で検索文字ｃｈａ１と文字情報ｃｈａ２とが一致する場合にはエントリポイント書き込み部０１０４は、文字検索に用いるエントリポイント（文字ＥＰ）を記録媒体０１０５（ＤＶＤ−ＲＯＭ）に記録する。検出部０１０６は、記録媒体０１０５の中から文字ＥＰを検出する。再生部０１０７は、文字ＥＰが示す時刻より記録されたテレビ信号を再生する。【選択図】  図１
2004363729.tif 000002
【特許請求の範囲】
【請求項１】
文字情報が含まれた映像信号を所定の規格に基づいて記録媒体に記録する装置であって、
前記映像信号に含まれている文字情報を検出する文字情報検出部と、
前記文字情報検出部で検出された文字情報とあらかじめ設定された検索パラメータとが一致するか否かを判断する文字情報比較部と、
前記文字情報比較部で一致すると判断されたとき記録媒体に検索情報を記録する検索情報書き込み部とを備え、
前記検索情報は、
記録媒体に記録された映像信号における所定の時刻を含み、
前記所定の時刻は、
前記文字情報検出部で検出された文字情報とあらかじめ設定された検索パラメータとが一致する時刻を示す
ことを特徴とする画像情報記録装置。
【請求項２】
請求項１において、
前記文字情報検出部で検出された文字情報より文章の終端を検出する文章終端検出部と、
前記文章終端検出部で文章の終端が検出されるまで前記文字情報検出部で検出された文字情報を記憶する文章情報記憶部と、
前記文字情報比較部で一致すると判断されたとき前記文字情報記憶部で記憶された文字情報を記録媒体に記録する文章情報書き込み部とをさらに備え、
前記検索情報書き込み部はさらに、
前記文章情報書き込み部で記録媒体に記録された文字情報が格納されている領域にリンクするための情報（リンク情報）を前記検索情報に書き込む
ことを特徴とする画像情報記録装置。
【請求項３】
請求項１において、
前記映像信号の時間的に前後する２つのフレーム間における各画素の輝度データの時間的変化を求める輝度比較部と、
前記輝度比較部で求めた輝度データの時間的変化が第１の値よりも大きいと示された画素の数をカウントするカウント部と、
前記カウント部でカウントした画素の数が第２の値よりも多いか否かを判断するシーン変化判断部と、
前記シーン変化判断部で前記第２の値よりも多いと判断されたときの時刻を記憶する時刻記憶部と
前記文字情報比較部で一致すると判断されたとき前記時刻記憶部で記憶された時刻を記録媒体に記録するシーン変化時刻書き込み部とをさらに備え、
前記検索情報書き込み部はさらに、
前記シーン変化時刻書き込み部で記録媒体に記録された時刻が格納されている領域にリンクするための情報（リンク情報）を前記検索情報に書き込む
ことを特徴とする画像情報記録装置。
【請求項４】
請求項１において、
前記映像信号は、音声信号を含んでおり、
前記映像信号より音声のレベルを検出するレベル検出部と、
前記レベル検出部で検出された音声のレベルが第１の値よりも大きいか否かを判断するレベル比較部と、
前記レベル比較部によって検出された音声のレベルが前記第１の値以下である時間を計測する無音期間計測部と、
前記無音期間計測部で計測された時間が第２の値よりも長いか否かを判断する話題変化判断部と、
前記話題変化判断部で前記第２の値よりも長いと判断されたとき前記レベル比較部で前記第１の値よりも大きいと判断された時刻を記憶する時刻記憶部と、
前記文字情報比較部で一致すると判断されたとき前記時刻記憶部で記憶された時刻を記録媒体に記録する話題変化時刻書き込み部とをさらに備え、
前記検索情報書き込み部はさらに、
前記話題変化時刻書き込み部で記録媒体に記録された時刻が格納されている領域にリンクするための情報（リンク情報）を前記検索情報に書き込む
ことを特徴とする画像情報記録装置。
【請求項５】
請求項１から請求項４のうちいずれか１つにおいて、
前記検索情報書き込み部はさらに、
前記検索情報に文字検索のために記録したことを示すデータを書き込む
ことを特徴とする画像情報記録装置。
【請求項６】
請求項１に記載の画像情報記録装置によって記録媒体に記録されたデータ（映像信号，検索情報）を処理する装置であって、
前記記録媒体に記録されたデータより検索情報を検出する検出部と、
前記記録媒体に記録された映像信号の中から前記検出部で検出された検索情報が示す時刻に対応する部分を検索するデータ検索部とを備える
ことを特徴とする画像情報検索装置。
【請求項７】
請求項１に記載の画像情報記録装置によって記録媒体に記録されたデータ（映像信号，検索情報）を処理する装置であって、
前記記録媒体に記録されたデータより検索情報を検出する検出部と、
前記記録媒体に記録された映像信号より前記検出部で検出された検索情報に対応するサムネイルを作成するサムネイル作成部と、
前記記録媒体に記録された映像信号の中から前記検出部で検出された検索情報が示す時刻に対応する部分を検索するデータ検索部とを備える
ことを特徴とする画像情報検索装置。
【請求項８】
請求項１に記載の画像情報記録装置によって記録媒体に記録されたデータ（映像信号，検索情報）を処理する装置であって、
前記記録媒体に記録されたデータの中から検索情報を検出する検出部と、
所定の時間内に前記文字情報比較部で一致すると判断された回数（発生頻度）を求める発生頻度作成部と、
前記記録媒体に記録された映像信号の中から前記検出部で検出された検索情報が示す時刻に対応する部分を検索するデータ検索部とを備える
ことを特徴とする画像情報検索装置。
【請求項９】
請求項８において、
前記発生頻度作成部は、
前記文字情報比較部で一致すると判断された時刻の時間間隔を求める時間間隔作成部と、
前記時間間隔作成部で求められた時間間隔の中で最大の時間間隔を選択する最大間隔選択部と、
前記最大間隔選択部で選択された最大の時間間隔内に存在する前記検索情報の数を求める発生回数作成部とを含む
ことを特徴とする画像情報検索装置。
【請求項１０】
請求項８において、
前記発生頻度作成部はさらに、
前記発生頻度の時間的分布を求める
ことを特徴とする画像情報検索装置。
【請求項１１】
請求項２に記載の画像情報記録装置によって記録媒体に記録されたデータ（映像信号，検索情報，文字情報）を処理する装置であって、
前記記録媒体に記録されたデータの中から検索情報を検出する検出部と、
前記検出部で検出された検索情報に書き込まれた前記リンク情報を参照して前記記録媒体に記録された文字情報よりＯＳＤを作成するＯＳＤ作成部と、
前記記録媒体に記録された映像信号の中から前記検出部で検出された検索情報が示す時刻に対応する部分を検索するデータ検索部とを備える
ことを特徴とする画像情報検索装置。
【請求項１２】
請求項３または請求項４に記載の画像情報記録装置によって記録媒体に記録されたデータ（映像信号，検索情報，時刻）を処理する装置であって、
前記記録媒体に記録されたデータの中から検索情報を検出する検出部と、
前記検出部で検出された検索情報に書き込まれたリンク情報を参照して前記検索情報に対応する前記記録媒体に記録された時刻を検索する時刻検索部と、
前記記録媒体に記録された映像信号の中から前記時刻検索部で検索された時刻に対応する部分を検索するデータ検索部とを備える
ことを特徴とする画像情報検索装置。
【請求項１３】
請求項１２において、
前記検出部で検出された検索情報が示す時刻と前記時刻検索部で検索された時刻との時間間隔が所定の値よりも長いか否かを判断する時間間隔判断部をさらに備え、
前記データ検索部は、
前記時間間隔判断部で所定の値よりも長いと判断されたとき前記記録媒体に記録された映像信号の中から前記検索情報が示す時刻に対応する部分を検索する
ことを特徴とする画像情報検索装置。
【請求項１４】
請求項６、請求項７、請求項８、請求項１１、請求項１２のうちいずれか１つにおいて、
前記検出部はさらに、
前記記録媒体に記録されたデータの中から検索情報を検出するときに前記検索情報が文字検索のための検索情報であるか否かを判断する
ことを特徴とする画像情報検索装置。
【請求項１５】
文字情報が含まれた映像信号を所定の規格に基づいて記録媒体に記録する方法であって、
前記映像信号に含まれている文字情報を検出する文字情報検出ステップと、
前記文字情報検出ステップで検出された文字情報とあらかじめ設定された検索パラメータとが一致するか否かを判断する文字情報比較ステップと、
前記文字情報比較ステップで一致すると判断されたとき記録媒体に検索情報を記録する検索情報書き込みステップとを備え、
前記検索情報は、
記録媒体に記録された映像信号における所定の時刻を含み、
前記所定の時刻は、
前記文字情報検出ステップで検出された文字情報とあらかじめ設定された検索パラメータとが一致する時刻を示す
ことを特徴とする画像情報記録方法。
【請求項１６】
請求項１５において、
前記文字情報検出ステップで検出された文字情報より文章の終端を検出する文章終端検出ステップと、
前記文章終端検出ステップで文章の終端が検出されるまで前記文字情報検出ステップで検出された文字情報を記憶する文章情報記憶ステップと、
前記文字情報比較ステップで一致すると判断されたとき前記文字情報記憶ステップで記憶された文字情報を記録媒体に記録する文章情報書き込みステップとをさらに備え、
前記検索情報書き込みステップはさらに、
前記文章情報書き込みステップで記録媒体に記録された文字情報が格納されている領域にリンクするための情報（リンク情報）を前記検索情報に書き込む
ことを特徴とする画像情報記録方法。
【請求項１７】
請求項１５において、
前記映像信号の時間的に前後する２つのフレーム間における各画素の輝度データの時間的変化を求める輝度比較ステップと、
前記輝度比較ステップで求めた輝度データの時間的変化が第１の値よりも大きいと示された画素の数をカウントするカウントステップと、
前記カウントステップでカウントした画素の数が第２の値よりも多いか否かを判断するシーン変化判断ステップと、
前記シーン変化判断ステップで第２の値よりも多いと判断されたときの時刻を記憶する時刻記憶ステップと
前記文字情報比較ステップで一致すると判断されたとき前記時刻記憶ステップで記憶された時刻を記録媒体に記録するシーン変化時刻書き込みステップとをさらに備え、
前記検索情報書き込みステップはさらに、
前記シーン変化時刻書き込みステップで記録媒体に記録された時刻が格納されている領域にリンクするための情報（リンク情報）を前記検索情報に書き込む
ことを特徴とする画像情報記録方法。
【請求項１８】
請求項１５において、
前記映像信号は、音声信号を含んでおり、
前記映像信号より音声のレベルを検出するレベル検出ステップと、
前記レベル検出ステップで検出された音声のレベルが第１の値よりも大きいか否かを判断するレベル比較ステップと、
前記レベル比較ステップによって検出された音声のレベルが前記第１の値以下である時間を計測する無音期間計測ステップと、
前記無音期間計測ステップで計測された時間が第２の値よりも長いか否かを判断する話題変化判断ステップと、
前記話題変化判断ステップで前記第２の値よりも長いと判断されたとき前記レベル比較ステップで前記第１の値よりも大きいと判断された時刻を記憶する時刻記憶ステップと、
前記文字情報比較ステップで一致すると判断されたとき前記時刻記憶ステップで記憶された時刻を記録媒体に記録する話題変化時刻書き込みステップとをさらに備え、
前記検索情報書き込みステップはさらに、
前記話題変化時刻書き込みステップで記録媒体に記録された時刻が格納されている領域にリンクするための情報（リンク情報）を前記検索情報に書き込む
ことを特徴とする画像情報記録方法。
【請求項１９】
請求項１５から請求項１８のうちいずれか１つにおいて、
前記検索情報書き込みステップはさらに、
前記検索情報に文字検索のために記録したことを示すデータを書き込む
ことを特徴とする画像情報記録方法。
【請求項２０】
請求項１５に記載の画像情報記録方法によって記録媒体に記録されたデータ（映像信号，検索情報）を処理する方法であって、
前記記録媒体に記録されたデータの中から検索情報を検出する検出ステップと、
前記記録媒体に記録された映像信号の中から前記検出ステップで検出された検索情報が示す時刻に対応する部分を検索するデータ検索ステップとを備える
ことを特徴とする画像情報検索方法。
【請求項２１】
請求項１５に記載の画像情報記録方法によって記録媒体に記録されたデータ（映像信号，検索情報）を処理する方法であって、
前記記録媒体に記録されたデータより検索情報を検出する検出ステップと、
前記記録媒体に記録された映像信号より前記検出ステップで検出された検索情報に対応するサムネイルを作成するサムネイル作成ステップと
前記サムネイル作成ステップで作成されたサムネイルを表示装置に表示するサムネイル表示ステップと、
前記記録媒体に記録された映像信号の中から前記検出ステップで検出された検索情報が示す時刻に対応する部分を検索するデータ検索ステップとを備える
ことを特徴とする画像情報検索方法。
【請求項２２】
請求項１５に記載の画像情報記録方法によって記録媒体に記録されたデータ（映像信号，検索情報）を処理する方法であって、
前記記録媒体に記録されたデータより検索情報を検出する検出ステップと、
所定の時間内に前記文字情報比較ステップで一致すると判断された回数（発生頻度）を求める発生頻度作成ステップと、
前記発生頻度作成ステップで作成された発生頻度を表示装置に表示する発生頻度表示ステップと、
前記記録媒体に記録された映像信号の中から前記検出ステップで検出された検索情報が示す時刻に対応するステップ分を検索するデータ検索ステップとを備える
ことを特徴とする画像情報検索方法。
【請求項２３】
請求項２２において、
前記発生頻度作成ステップは、
前記文字情報比較ステップで一致すると判断された時刻の時間間隔を求める時間間隔作成ステップと、
前記時間間隔作成ステップで求められた時間間隔の中で最大の時間間隔を選択する最大間隔選択ステップと、
前記最大間隔選択ステップで選択された最大の時間間隔内に存在する前記検索情報の数を求める発生回数作成ステップとを含む
ことを特徴とする画像情報検索方法。
【請求項２４】
請求項２２において、
前記発生頻度作成ステップは、
さらに前記発生頻度の時間的分布を求め、
前記発生頻度表示ステップは、
前記発生頻度作成ステップで作成された発生頻度の時間的分布を表示装置に表示する
ことを特徴とする画像情報検索方法。
【請求項２５】
請求項１６に記載の画像情報記録方法によって記録媒体に記録されたデータ（映像信号，検索情報，文字情報）を処理する方法であって、
前記記録媒体に記録されたデータより検索情報を検出する検出ステップと、
前記検出ステップで検出された検索情報に書き込まれた前記リンク情報を参照して前記記録媒体に記録された文字情報よりＯＳＤを作成するＯＳＤ作成ステップと、
前記ＯＳＤ作成ステップで作成されたＯＳＤを表示装置に表示するＯＳＤ表示ステップと、
前記記録媒体に記録された映像信号の中から前記検出ステップで検出された検索情報が示す時刻に対応する部分を検索するデータ検索ステップとを備える
ことを特徴とする画像情報検索方法。
【請求項２６】
請求項１７または請求項１８に記載の画像情報記録方法によって記録媒体に記録されたデータ（映像信号，検索情報，時刻）を処理する方法であって、
前記記録媒体に記録されたデータの中から前記検索情報を検出する検出ステップと、
前記検出ステップで検出された検索情報に書き込まれたリンク情報を参照して前記検索情報に対応する前記記録媒体に記録された時刻を検索する時刻検索ステップと、
前記記録媒体に記録された映像信号の中から前記時刻検索ステップで検索された時刻に対応する部分を検索するデータ検索ステップとを備える
ことを特徴とする画像情報検索方法。
【請求項２７】
請求項２６において、
前記検出ステップで検出された検索情報が示す時刻と前記時刻検索ステップで検索された時刻との時間間隔が所定の値よりも長いか否かを判断する時間間隔判断ステップをさらに備え、
前記データ検索ステップは、
前記時間検索判断ステップで所定の値よりも長いと判断されたとき前記記録媒体に記録された映像信号の中から前記検索情報が示す時刻に対応する部分を検索する
ことを特徴とする画像情報検索方法。
【請求項２８】
請求項２０、請求項２１、請求項２２、請求項２５、請求項２６のうちいずれか１つにおいて、
前記検出ステップは、
前記記録媒体に記録されたデータの中から検索情報を検出するときに前記検索情報が文字検索のための検索情報であるか否かを判断する
ことを特徴とする画像情報検索方法。
【発明の詳細な説明】
【０００１】
【発明の属する技術分野】
この発明は画像情報記録装置・方法ならびに画像情報検索装置・方法に関し、さらに詳しくは、記録媒体に記録されたデータを再生するときに所望の部分から再生を行うことを可能とする装置および方法に関する。
【０００２】
【従来の技術】
耳の不自由なものが放送番組やビデオなどを楽しめるように、俳優のせりふやナレーション、効果音などをそのまま字幕として表示するクローズドキャプション（以降  ＣＣと記述）と呼ばれる字幕表示技術が存在する。この技術は字幕表示のための文字を映像信号に重畳することにより、映像に同期した字幕を表示することを可能とする。また、この文字情報は、映像信号垂直帰線期間の２１ラインに重畳している。これらの文字情報を画面上に表示させるためには、映像信号に多重させる文字情報をデコードし、画面上に表示させるデコーダが必要であり、文字を表示するか否かは視聴者の選択に任されている。
【０００３】
このような映像信号に多重された文字情報を用いて、所望の映像信号を記録する、もしくは記録媒体に記録した映像信号の中から所望の部分を検索する技術が構築されている。
【０００４】
【特許文献１】特開平７−７９４２３号公報
【０００５】
【発明が解決しようとする課題】
ところが、以上のような技術を実現する場合、特許文献１の図１のように、コンピュータ、外部記憶装置、キーボード、マウス等を用いた大規模なシステムを用いて、記録装置に記録されたデータの管理情報を構築する必要がある。さらに、そのような装置を用いた場合、検索したい文字がマッチした場面（検索したい文字と映像信号に多重されている文字が一致する場面）からユーザが見たい場面を探すときに、ユーザは１つ１つ場面を確かめなければならないので検索に手間がかかる。また、文字がマッチした位置はユーザの見たい頭だしのポイントになっているとは限らない。
【０００６】
そこで、この発明の目的は、ＤＶＤ−ＶＲ規格にてユーザの設定した文字により記録媒体に記録したデータの中から所望の部分の検索を可能とする画像情報記録装置および方法ならびに画像情報検索装置および方法を提供することである。
【０００７】
また、この画像情報記録装置および方法ならびに画像情報検索装置および方法は、ユーザの設定した文字が複数箇所マッチした場合に検索個所に優先度を付けるための助けとなる情報を付加し、さらにはマッチした位置を見るために適当な切れ目から再生を開始することができる。
【０００８】
【課題を解決するための手段】
この発明の１つの局面に従うと、画像情報記録装置は、文字情報が含まれた映像信号を所定の規格（例えばＤＶＤ−ＶＲ規格など）に基づいて記録する装置である。上記装置は、文字情報検出部と、文字情報比較部と、検索情報書き込み部とを備える。文字情報検出部は、映像信号に含まれている文字情報を検出する。文字情報比較部は、文字情報検出部で検出された文字情報とあらかじめ設定された検索パラメータ（あらかじめユーザから指定された文字情報など）とが一致するか否かを判断する。検索情報書き込み部は、文字情報比較部で一致すると判断されたとき記録媒体に検索情報を書き込む。検索情報は、記録媒体に記録された映像信号における所定の時刻を示す。所定の時刻とは、文字情報検出部で検出された文字情報とあらかじめ設定された検索パラメータ（あらかじめユーザから指定された文字情報など）とが一致する時刻のことである。
【０００９】
上記画像情報記録装置では、文字情報比較部は、あらかじめ検索パラメータ（ユーザより指定された文字情報など）が設定されている。文字情報比較部は、検索パラメータと映像信号に含まれる文字情報とが一致したときに検索情報を記録媒体に記録する。検索情報は、文字情報が一致したときの時刻が格納されている。これにより、データ検索の際に、検索情報を検索すれば検索情報に含まれた時刻を参照して記録媒体に記録された映像信号の中からユーザに指定された文字情報を含む部分を検索することができる。つまり、ユーザが設定した文字によってデータの検索を行うことが可能となる。また、所定の規格（例えばＤＶＤ−ＶＲ規格など）に基づいて記録することによって、従来の技術のような大規模なシステムを用いて管理情報を構築する必要がなく、容易に検索時に用いる情報を付加することができる。
【００１０】
この発明のもう１つの局面に従うと、画像情報検索装置は、上記画像情報記録装置によって記録媒体に記録されたデータ（映像信号，検索情報）を処理する。上記装置は、検出部と、データ検索部とを備える。検出部は、記録媒体に記録されたデータの中から検索情報を検出する。データ検索部は、記録媒体に記録された映像信号の中から検出部で検出された検索情報が示す時刻に対応する部分を検索する。
【００１１】
上記画像情報検索装置では、データ検索部は、記録された映像信号の中から検索情報に含まれる時刻に対応する部分を検索する。検索情報に含まれる時刻は、上記文字情報検出部で検出された文字情報とあらかじめ設定された検索パラメータ（あらかじめユーザから指定された文字情報など）とが一致する時刻を示す。これにより、検索情報を検索することによって記録媒体に記録された映像信号の中からユーザに指定された文字情報を含む部分を検索することができる。つまり、ユーザが設定した文字によってデータの検索を行うことが可能となる。また、所定の規格（例えばＤＶＤ−ＶＲ規格など）に基づいて記録媒体にデータが記録されているので、従来の技術のような大規模なシステムを用いて管理情報を構築する必要がなく、記録されたデータの中から所望の部分を容易に検索することができる。
【００１２】
好ましくは、上記画像情報検索装置は、上記画像情報記録装置によって記録媒体に記録されたデータ（映像信号，検索情報）を処理する。上記装置は、検出部と、サムネイル作成部と、データ検索部とを備える。検出部は、記録媒体に記録されたデータの中から検索情報を検出する。サムネイル作成部は、記録媒体に記録された映像信号より検出部で検出された検索情報に対応するサムネイルを作成する。データ検索部は、記録媒体に記録された映像信号の中から検出部で検出された検索情報に対応する部分を検索する。
【００１３】
上記画像情報検索装置では、サムネイル作成部は、記録媒体に記録された映像信号より検索情報に対応するサムネイルを作成する。これにより、サムネイルを参照すれば、検索情報が含まれている画像を知ることができその検索情報に優先度（その検索情報が示す部分がユーザの所望する映像の部分とどの程度近いかを示す度合い）をつけることができる。
【００１４】
好ましくは、上記画像情報検索装置は、上記画像情報記録装置によって記録媒体に記録されたデータ（映像信号，検索情報）を処理する。上記装置は、検出部と、発生頻度作成部と、データ検出部とを備える。検出部は、記録媒体に記録されたデータの中から検索情報を検出する。発生頻度作成部は、所定の時間内に上記文字情報比較部で一致すると判断された回数（発生頻度）を求める。データ検索部は、記録媒体に記録された映像信号の中から検出部で検出された検索情報が示す時刻に対応する部分を検索する。
【００１５】
上記画像情報検索装置では、発生頻度作成部は、所定の時間内に文字情報比較部で一致すると判断された回数（発生頻度）を求める。これにより、発生頻度を参照すれば、検索情報がどのように存在するのか知ることができその検索情報に優先度（その検索情報が示す部分がユーザの所望する映像の部分とどの程度近いかを示す度合い）をつけることができる。
【００１６】
好ましくは、上記発生頻度作成部は、時間間隔作成部を、最大間隔選択部と、発生回数作成部とを含む。時間間隔作成部は、上記検索情報が示す時刻を参照して文字情報比較部で一致すると判断された時刻の時間間隔を求める。例えば、１回目に一致したときの時刻と２回目に一致したときの時刻との時間間隔を求める。最大間隔選択部は、時間間隔作成部で求められた時間間隔の中で最大の時間間隔を選択する。発生回数作成部は、最大間隔選択部で選択された最大の時間間隔内に存在する上記検索情報の数を求める。
【００１７】
上記画像情報検索装置では、検索情報は、文字情報比較部で一致すると判断されたときに記録媒体に記録される。つまり、検索情報の数は、文字情報比較部で一致した回数を示す。上記発生頻度作成部は、まず文字情報比較部で一致すると判断された時刻の時間間隔を求め、次にその最大の時間間隔内に存在する検索情報の数を求める。このように、上記発生頻度作成部は、所定の時間内に文字情報比較部で一致すると判断された回数（発生頻度）を求める。これにより、発生頻度を参照すれば、検索情報がどのように存在するのか知ることができその検索情報に優先度（その検索情報が示す部分がユーザの所望する映像の部分とどの程度近いかを示す度合い）をつけることができる。
【００１８】
好ましくは、上記発生頻度作成部は、上記発生頻度の時間的分布を求める。
【００１９】
上記画像情報検索装置では、発生頻度作成部は、検索情報が時間的にどのように分布して発生しているのかを求める。検索情報が存在する場所は、文字情報比較部で文字情報が一致した場所である。これにより、発生頻度の時間的分布を参照すればどの時間帯に文字情報の一致が頻繁に発生しているのかがわかりその検索情報に優先度（その検索情報が示す部分がユーザの所望する映像の部分とどの程度近いかを示す度合い）をつけることができる。
【００２０】
好ましくは、上記画像情報記録装置は、文字情報が含まれた映像信号を所定の規格（例えばＤＶＤ−ＶＲ規格など）に基づいて記録する装置である。上記装置は、文章終端検出部と、文字情報記憶部と、文章情報書き込み部とをさらに備える。文章終端検出部は、文字情報検出部で検出された文字情報より文章の終端を検出する。文字情報記憶部は、文章終端検出部で文章の終端が検出されるまで文字情報検出部で検出された文字情報を記憶する。文章情報書き込み部は、文字情報比較部で一致すると判断されたとき文字情報記憶部で記憶された文字情報を記録媒体に記録する。上記検索情報書き込み部は、文章情報書き込み部で記録媒体に記録された文字情報が格納されている領域にリンクするための情報（リンク情報）を検索情報に書き込み、その検索情報を記録媒体に記録する。
【００２１】
上記画像情報記録装置では、文字情報記録部は、文章終端検出部で文章の終端を検出されるまで文字情報検出部で検出された文字情報を記憶する。つまり、この文字情報は、文字情報検出部で検出された文字情報を含んだ文章である。また、検索情報は、文字情報比較部で文字情報が一致したときの時刻とリンク情報とが書き込まれている。よって、検索情報を参照すれば文字情報（文章）が格納されている領域にリンクすることができる。また、記録媒体に記録された文字情報（文章）より、ＯＳＤを作成することができる。これにより、データ検索のときＯＳＤを参照すれば、文字情報がどのように含まれているか知ることができその検索情報に優先度（その文字情報が含まれる部分がユーザの所望する映像の部分とどの程度近いかを示す度合い）をつけることができる。
【００２２】
好ましくは、上記画像情報検索装置は、上記画像情報記録装置によって記録媒体に記録されたデータ（映像信号，検索情報，文字情報）を処理する装置である。上記装置は、検出部と、ＯＳＤ作成部と、データ検索部とを備える。検出部は、記録媒体に記録されたデータの中から検索情報を検出する。ＯＳＤ作成部は、検出部で検出された検索データに書き込まれたリンク情報を参照して記録媒体に記録された文字情報よりＯＳＤを作成する。データ検索部は、記録媒体に記録された映像信号の中から検出部で検出された検索情報が示す時刻に対応する部分を検索する。
【００２３】
上記画像情報検索装置では、ＯＳＤ作成部は、記録媒体に記録された文字情報より検索情報に対応したＯＳＤを作成する。この文字情報は、文字情報検出部で検出された文字情報を含む文章である。これにより、ＯＳＤを参照すれば、文字情報がどのように含まれているか知ることができその検索情報に優先度（その文字情報が含まれる部分がユーザの所望する映像の部分とどの程度近いかを示す度合い）をつけることができる。
【００２４】
好ましくは、上記画像情報記録装置は、文字情報が含まれた映像信号を所定の規格（例えばＤＶＤ−ＶＲ規格など）に基づいて記録する装置である。上記装置は、輝度比較部と、カウント部と、シーン変化判断部と、時刻記憶部と、シーン変化時刻書き込み部とをさらに備える。輝度比較部は、映像信号の時間的に前後する２つのフレーム間における各輝度データの時間的変化を求める。カウント部は、輝度比較部で求めた輝度データの時間的変化が第１の値よりも大きいと示された画素の数をカウントする。シーン変化判断部は、カウント部でカウントした画素の数が第２の値よりも多いか否かを判断する。時刻記憶部は、シーン変化判断部で第２の値よりも多いと判断されたときの時刻を記憶する。シーン時刻書き込み部は、文字情報比較部で一致すると判断されたときに時刻記憶部に記憶された時刻を記録媒体に記録する。上記検索情報書き込み部は、シーン変化時刻書き込み部で記録媒体に記録された時刻が格納されている領域にリンクするための情報（リンク情報）を上記検索情報に書き込む。
【００２５】
上記画像情報記録装置では、データ検索のとき検索情報に書き込まれたリンク情報を参照すればその検索情報に対応したシーン変化の時刻を検索することができる。これにより、文字情報を検索すれば、映像信号におけるユーザが所望する文字情報が含まれた部分を検索することができ、かつ記録媒体に記録された映像信号の中からシーン変化（輝度データが時間的に大きく変化した画素の数が多い場合）の時刻に対応する部分を検索してその部分から再生することで、適当な映像の切れ目から再生を開始することができる。
【００２６】
好ましくは、上記画像情報記録装置は、文字情報が含まれた映像信号を所定の規格（例えばＤＶＤ−ＶＲ規格など）に基づいて記録する装置である。上記映像信号は音声信号を含む。上記装置は、レベル検出部と、レベル比較部と、無音期間計測部と、話題変化判断部と、時刻記憶部と、話題変化時刻書き込み部とを備える。レベル検出部は、映像信号より音声のレベルを検出する。レベル比較部は、レベル検出部で検出された音声のレベルが第１の値よりも大きいか否かを判断する。無音期間計測部は、レベル比較部によって検出された音声のレベルが第１の値以下である時間を計測する。話題変化判断部は、無音期間計測部で計測した時間が第２の値よりも長いか否かを判断する。時刻記憶部は、話題変化判断部で第２の値よりも長いと判断されたときレベル比較部で第１の値よりも大きいと判断された時刻を記憶する。話題変化時刻書き込み部は、文字情報比較部で一致すると判断されたとき時刻記憶部で記憶された時刻を記録媒体に記録する。上記検索情報書き込み部は、話題変化時刻書き込み部で記録媒体に記録された時刻が格納されている領域にリンクするための情報（リンク情報）を上記検索情報に書き込む。
【００２７】
上記画像情報記録装置では、データ検索のとき検索情報に書き込まれたリンク情報を参照すればその検索情報に対応した話題変化の時刻を検索することができる。これにより、文字情報を検索すれば、映像信号におけるユーザが所望する文字情報が含まれた部分を検索することができ、かつ記録媒体に記録された映像信号の中から話題変化（無音と判断される期間が長い場合）の時刻に対応する部分を検索してその部分から再生することで、適当な音声の切れ目から再生を開始することができる。
【００２８】
好ましくは、上記画像情報検索装置は、上記画像情報記録装置によって記録媒体に記録されたデータ（映像信号，検索情報，時刻）を処理する。上記装置は、検出部と、時刻検出部と、データ検索部とを備える。検出部は、記録媒体に記録されたデータの中から検索情報を検出する。時刻検索部は、検索部で検索された検索情報に書き込まれたリンク情報を参照して前記検索情報に対応する記録媒体に記録された時刻を検索する。データ検索部は、記録媒体に記録された映像信号の中から時刻検索部で検索された時刻に対応する部分を検索する。
【００２９】
上記画像情報検索装置では、検索情報に書き込まれたリンク情報を参照することによっその検索情報に対応したシーン変化の時刻（または話題変化の時刻）を検索することができる。これにより、文字情報を検索すれば、映像信号におけるユーザが所望する文字情報が含まれた部分を検索することができ、かつ記録媒体に記録された映像信号の中からシーン変化の時刻（または話題変化の時刻）に対応する部分を検索してその部分から再生することで、適当な映像（または音声）の切れ目から再生を開始することができる。
【００３０】
好ましくは、上記画像情報検索装置はさらに、時間間隔判断部を備える。上記検出部は、記録媒体に記録されたデータの中から検索情報を検出する。上記時刻検索部は、検索部で検索された検索情報に書き込まれたリンク情報を参照して前記検索情報に対応する記録媒体に記録された時刻を検索する。時間間隔判断部は、検出部で検出された検索情報が示す時刻と時刻検索部で検索された時刻との時間間隔が所定の値よりも長いか否かを判断する。上記データ検索部は、時間間隔判断部で所定の値よりも長いと判断されたとき記録媒体に記録された映像信号の中から検出部で検出された時刻に対応する部分を検索する。
【００３１】
上述のように、上記時刻検索部で検出された時刻に対応する部分を検索してその部分から再生をすれば適当な映像（または音声）の切れ目から再生を開始することができる。しかし、検索情報が示す時刻と時刻検索部で検索された時刻との時間間隔があまりにも長すぎると、本来所望する部分より離れた部分から再生することになる。
【００３２】
上記画像情報検索装置では、データ検索部は、検出部で検出された検索情報が示す時刻と時刻検索部で検索された時刻との時間間隔が所定の値よりも長いとき、記録媒体に記録された映像信号の中から検出部で検出された時刻に対応する部分を検索する。これにより、上述の問題が解決され本来所望する部分から再生を開始することができる。
【００３３】
好ましくは、上記検索情報書き込み部は、検索情報に文字検索のために記録したを示すデータを書き込む。つまり、検索情報書き込み部は、「この検索情報は文字検索のために記録されたものである」というデータを含む検索情報を記録媒体に記録する。
【００３４】
検索情報は、文字検索のために用いるだけでなく他の用途（ユーザ操作によるもの，ＣＭカットのための音声属性の切り替わり）に用いられるものが存在する。この場合、他の用途に用いる検索情報を検出部によって検出され、データ検索の際に利用されてると、本来所望する部分を検索することが困難になる。
【００３５】
上記画像情報記録装置では、検索情報書き込み部は、検索情報に文字検索のために記録したことを示すデータを書き込む。これにより、データ検索のときこのデータを参照することによって、文字検索のために用いる検索情報を識別することができユーザが設定した文字によってデータを検索を行うことが可能となる。
【００３６】
好ましくは、上記検出部は、記録媒体に記録されたデータの中から検索情報を検出するときその検索情報が文字検索のための検索情報であるか否かを判断する。
【００３７】
上記画像情報検索装置では、検出部は、検索情報に書き込まれたデータ（文字検索のために記録されたことを示すデータ）を参照して検索情報が文字検索のための検索情報であるか否かを判断する。検出部は、文字検索のための検索情報であると判断したとき検出された検索情報をデータ検索部（または時刻検索部）へ出力する。これにより、検索情報に書き込まれたデータを参照することによって、文字検索のために用いる検索情報を識別することができユーザが設定した文字によってデータの検索を行うことが可能となる。
【００３８】
この発明のさらにもう１つの局面に従うと、画像情報記録方法は、文字情報が含まれた映像信号を所定の規格（例えばＤＶＤ−ＶＲ規格など）に基づいて記録する方法である。上記方法は、文字情報検出ステップと、文字情報比較ステップと、検索情報書き込みステップとを備える。文字情報検出ステップは、映像信号に含まれている文字情報を検出する。文字情報比較ステップは、文字情報検出ステップで検出された文字情報とあらかじめ設定された検索パラメータ（ユーザから指定された文字情報など）とが一致するか否かを判断する。検索情報書き込みステップは、文字情報比較ステップで一致すると判断されたとき記録媒体に検索情報を書き込む。検索情報は、記録媒体に記録された映像信号における所定の時刻を示す。所定の時刻とは、文字情報検出ステップで検出された文字情報とあらかじめ設定された検索パラメータ（あらかじめユーザから指定された文字情報など）とが一致する時刻のことである。
【００３９】
上記画像情報記録方法では、文字情報比較ステップは、あらかじめ検索パラメータ（ユーザから指定された文字情報など）が設定されている。文字情報比較ステップは、検索パラメータと映像信号に含まれる文字情報とが一致したときに検索情報を記録媒体に記録する。検索情報は、文字情報が一致したときの時刻が格納されている。これにより、データ検索の際に、検索情報を検索すれば記録媒体に記録された映像信号の中からユーザが指定する文字情報を含む部分を検索することができる。つまり、ユーザが設定した文字によってデータの検索を行うことが可能となる。
【００４０】
この発明のさらにもう１つの局面に従うと、画像情報検索方法は、上記画像情報記録方法によって記録媒体に記録されたデータ（映像信号，検索情報）を処理する。上記方法は、検出ステップと、データ検索ステップとを備える。検出ステップは、記録媒体に記録されたデータの中から検索情報を検出する。データ検索ステップは、記録媒体に記録された映像信号の中から検出ステップで検出された検索情報が示す時刻に対応する部分を検索する。
【００４１】
上記画像情報検索方法では、データ検索ステップは、記録された映像信号の中から検索情報に含まれる時刻に対応する部分を検索する。検索情報に含まれる時刻は、上記文字情報検出ステップで検出された文字情報とあらかじめ設定された検索パラメータ（ユーザから指定された文字情報など）とが一致する時刻を示す。これにより、検索情報を検索することによって記録媒体に記録された映像信号の中からユーザに指定された文字情報を含む部分を検索することができる。つまり、ユーザが設定した文字によってデータの検索を行うことが可能となる。
【００４２】
好ましくは、上記画像情報検索方法は、上記画像情報記録方法によって記録媒体に記録されたデータ（映像信号，検索情報）を処理する。上記方法は、検出ステップと、サムネイル作成ステップと、サムネイル表示ステップと、データ検索ステップとを備える。検出ステップは、記録媒体に記録されたデータの中から検索情報を検出する。サムネイル作成ステップは、記録媒体に記録された映像信号より検出ステップで検出された検索情報に対応するサムネイルを作成する。サムネイル表示ステップは、サムネイル作成ステップで作成されたサムネイルを表示装置に表示する。データ検索ステップは、記録媒体に記録された映像信号の中から検出ステップで検出された検索情報に対応する部分を検索する。
【００４３】
上記画像情報検索方法では、サムネイル表示ステップは、記録媒体に記録された映像信号より検索情報に対応するサムネイルを表示する。これにより、ユーザは、表示装置に表示されたサムネイルを参照すれば、検索情報が含まれている画像を知ることができその検索情報に優先度（その検索情報が示す部分がユーザの所望する映像の部分とどの程度近いかを示す度合い）をつけることができる。
【００４４】
好ましくは、上記画像情報検索方法は、上記画像情報記録方法によって記録媒体に記録されたデータ（映像信号，検索情報）を処理する。上記方法は、検出ステップと、発生頻度作成ステップと、発生頻度表示ステップと、データ検出ステップとを備える。検出ステップは、記録媒体に記録されたデータの中から検索情報を検出する。発生頻度作成ステップは、所定の時間内に上記文字情報比較ステップで一致すると判断された回数（発生頻度）を求める。発生頻度表示ステップは、発生頻度作成ステップで作成された発生頻度を表示装置に表示する。データ検索ステップは、記録媒体に記録された映像信号の中から検出ステップで検出された検索情報が示す時刻に対応する部分を検索する。
【００４５】
上記画像検索方法では、発生頻度表示ステップは、所定の時間内に文字情報比較ステップで一致すると判断された回数（発生頻度）を表示する。これにより、ユーザは、表示装置に表示された発生頻度を参照すれば、検索情報がどのように存在するのか知ることができその検索情報に優先度（その検索情報が示す部分がユーザが所望する映像の部分とどの程度近いかを示す度合い）をつけることができる。
【００４６】
好ましくは、上記発生頻度作成ステップは、時間間隔作成ステップを、最大間隔選択ステップと、発生回数作成ステップとを含む。時間間隔作成ステップは、上記検索情報が示す時刻を参照して文字情報比較ステップで一致すると判断された時刻の時間間隔を求める。例えば、１回目に一致したときの時刻と２回目に一致したときの時刻との時間間隔を求める。最大間隔選択ステップは、時間間隔作成ステップで求められた時間間隔の中で最大の時間間隔を選択する。発生回数作成ステップは、最大間隔選択ステップで選択された最大の時間間隔内に存在する上記検索情報の数を求める。
【００４７】
上記画像情報検索方法では、検索情報は、文字情報比較ステップで一致すると判断されたときに記録媒体に記録される。つまり、検索情報の数は、文字情報比較ステップで一致した回数を示す。発生頻度作成ステップは、まず文字情報比較ステップで一致すると判断された時刻の時間間隔を求め、次に、その最大の時間間隔内に存在する検索情報の数を求める。このように、上記発生頻度作成ステップは、所定の時間内に文字情報比較ステップで一致すると判断された回数（発生頻度）を求める。次に、発生頻度表示ステップは、発生頻度作成ステップで作成された発生頻度を表示装置に表示する。これにより、ユーザは表示装置に表示された発生頻度を参照すれば、検索情報がどのように存在するのか知ることができその検索情報に優先度（その検索情報が示す部分がユーザの所望する映像の部分とどの程度近いかを示す度合い）をつけることができる。
【００４８】
好ましくは、上記発生頻度作成ステップは、上記発生頻度の時間的分布を求める。上記発生頻度表示ステップは、発生頻度作成ステップで作成された発生頻度の時間的分布を表示する。
【００４９】
上記画像情報検索方法では、発生頻度表示ステップは、検索情報が時間的にどのように分布して発生しているのかを表示する。検索情報が存在する場所は、文字情報比較ステップで文字情報が一致した場所である。これにより、表示装置に表示された発生頻度の時間的分布を参照すればどの時間帯に文字情報の一致が頻繁に発生しているのかがわかりその検索情報に優先度（その検索情報が示す部分がユーザが所望する映像の部分とどの程度近いかを示す度合い）をつけることができる。
【００５０】
好ましくは、上記画像情報記録方法は、文字情報が含まれた映像信号を所定の規格（例えばＤＶＤ−ＶＲ規格など）に基づいて記録する方法である。上記方法は、文章終端検出ステップと、文字情報記憶ステップと、文章情報書き込みステップとをさらに備える。文章終端検出ステップは、文字情報検出ステップで検出された文字情報より文章の終端を検出する。文字情報記憶ステップは、文章終端検出ステップで文章の終端が検出されるまで文字情報検出ステップで検出された文字情報を記憶する。文章情報書き込みステップは、文字情報比較ステップで一致すると判断されたとき文字情報記憶ステップで記憶された文字情報を記録媒体に記録する。上記検索情報書き込みステップは、文章情報書き込みステップで記録媒体に記録された文字情報が格納されている領域にリンクするための情報（リンク情報）を検索情報に書き込み、その検索情報を記録媒体に記録する。
【００５１】
上記画像情報記録方法では、文字情報記録ステップは、文章終端検出ステップで文章の終端を検出されるまで文字情報検出ステップで検出された文字情報を記憶する。つまり、この文字情報は、文字情報検出ステップで検出された文字情報を含んだ文章である。また、検索情報は、文字情報比較ステップで文字情報が一致したときの時刻とリンク情報とが書き込まれている。よって、検索情報を参照すれば文字情報（文章）が格納されている領域にリンクすることができる。また、記録媒体に記録された文字情報（文章）より、ＯＳＤを作成することができる。これにより、データ検索のときＯＳＤを参照すれば、文字情報がどのように含まれているか知ることができその検索情報に優先度（その文字情報が含まれる部分がユーザの所望する映像の部分とどの程度近いかを示す度合い）をつけることができる。
【００５２】
好ましくは、上記画像情報検索方法は、上記画像情報記録方法によって記録媒体に記録されたデータ（映像信号，検索情報，文字情報）を処理する方法である。上記方法は、検出ステップと、ＯＳＤ作成ステップと、ＯＳＤ表示ステップと、データ検索ステップとを備える。検索ステップは、記録媒体に記録されたデータの中から検索情報を検出する。ＯＳＤ作成ステップは、検出ステップで検出された検索データに書き込まれたリンク情報を参照して記録媒体に記録された文字情報よりＯＳＤを作成する。ＯＳＤ表示ステップは、ＯＳＤ作成ステップで作成されたＯＳＤを表示装置に表示する。データ検索ステップは、記録媒体に記録された映像信号の中から検出ステップで検出された検索情報が示す時刻に対応する部分を検索する。
【００５３】
上記画像情報検索方法では、ＯＳＤ表示ステップは、検索情報に書き込まれたリンク情報を参照して記録媒体に記録された文字情報よりその検索情報に対応したＯＳＤを表示装置に表示する。この文字情報は、上記文字情報検出ステップで検出された文字情報を含んだ文章である。これにより、ユーザは表示装置に表示されたＯＳＤを参照すれば、文字情報がどのように含まれているか知ることができその検索情報に優先度（その文字情報が含まれる部分がユーザの所望する映像の部分とどの程度近いかを示す度合い）をつけることができる。
【００５４】
好ましくは、上記画像情報記録方法は、文字情報が含まれた映像信号を所定の規格（例えばＤＶＤ−ＶＲ規格など）に基づいて記録する方法である。上記方法は、輝度比較ステップと、カウントステップと、シーン変化判断ステップと、時刻記憶ステップと、シーン変化時刻書き込みステップとをさらに備える。輝度比較ステップは、映像信号の時間的に前後する２つのフレーム間における各輝度データの時間的変化を求める。カウントステップは、輝度比較ステップで求めた輝度データの時間的変化が第１の値よりも大きいと示された画素の数をカウントする。シーン変化判断ステップは、カウントステップでカウントした画素の数が第２の値よりも多いか否かを判断する。時刻記憶ステップは、シーン変化判断ステップで第２の値よりも多いと判断されたときの時刻を記憶する。シーン時刻書き込みステップは、文字情報比較ステップで一致すると判断されたときに時刻記憶ステップに記憶された時刻を記録媒体に記録する。上記検索情報書き込みステップは、シーン変化時刻書き込みステップで記録媒体に記録された時刻が格納されている領域にリンクするための情報（リンク情報）を上記検索情報に書き込む。
【００５５】
上記画像情報記録方法では、データ検索のとき検索情報に書き込まれたリンク情報を参照すればその検索情報に対応したシーン変化の時刻を検索することができる。これにより、文字情報を検索すれば、映像信号におけるユーザが所望する文字情報が含まれた部分を検索することができ、かつ記録媒体に記録された映像信号の中からシーン変化（輝度データが時間的に大きく変化した画素の数が多い場合）の時刻に対応する部分を検索してその部分から再生することで、適当な映像の切れ目から再生を開始することができる。
【００５６】
好ましくは、上記画像情報記録方法は、文字情報が含まれた映像信号を所定の規格（例えばＤＶＤ−ＶＲ規格など）に基づいて記録する方法である。上記映像信号は音声信号を含む。上記方法は、レベル検出ステップと、レベル比較ステップと、無音期間計測ステップと、話題変化判断ステップと、時刻記憶ステップと、話題変化時刻書き込みステップとを備える。レベル検出ステップは、映像信号より音声のレベルを検出する。レベル比較ステップは、レベル検出ステップで検出された音声のレベルが第１の値よりも大きいか否かを判断する。無音期間計測ステップは、レベル比較ステップによって検出された音声のレベルが第１の値以下である時間を計測する。話題変化判断ステップは、無音期間計測ステップで計測した時間が第２の値よりも長いか否かを判断する。時刻記憶ステップは、話題変化判断ステップで第２の値よりも長いと判断されたときレベル比較ステップで第１の値よりも大きいと判断された時刻を記憶する。話題変化時刻書き込みステップは、文字情報比較ステップで一致すると判断されたとき時刻記憶ステップで記憶された時刻を記録媒体に記録する。上記検索情報書き込みステップは、話題変化時刻書き込みステップで記録媒体に記録された時刻が格納されている領域にリンクするための情報（リンク情報）を上記検索情報に書き込む。
【００５７】
上記画像情報記録方法では、データ検索のとき検索情報に書き込まれたリンク情報を参照すればその検索情報に対応した話題変化の時刻を検索することができる。これにより、文字情報を検索すれば、映像信号におけるユーザが所望する文字情報が含まれた部分を検索することができ、かつ記録媒体に記録された映像信号の中から話題変化（無音と判断される期間が長い場合）の時刻に対応する部分を検索してその部分から再生することで、適当な音声の切れ目から再生を開始することができる。
【００５８】
好ましくは、上記画像情報検索方法は、上記画像情報記録方法によって記録媒体に記録されたデータ（映像信号，検索情報，時刻）を処理する。上記方法は、検出ステップと、時刻検出ステップと、データ検索ステップとを備える。検出ステップは、記録媒体に記録されたデータの中から検索情報を検出する。時刻検索ステップは、検索ステップで検索された検索情報に書き込まれたリンク情報を参照して前記検索情報に対応する記録媒体に記録された時刻を検索する。データ検索ステップは、記録媒体に記録された映像信号の中から時刻検索ステップで検索された時刻に対応する部分を検索する。
【００５９】
上記画像情報検索方法では、検索情報を検索することによっその検索情報に対応したシーン変化の時刻（または話題変化の時刻）を検索することができる。これにより、文字情報を検索すれば、映像信号におけるユーザが所望する文字情報が含まれた部分を検索することができ、かつ記録媒体に記録された映像信号の中からシーン変化の時刻（または話題変化の時刻）に対応する部分を検索してその部分から再生することで、適当な映像（または音声）の切れ目から再生を開始することができる。
【００６０】
好ましくは、上記画像情報検索方法はさらに、時間間隔判断ステップを備える。上記検出ステップは、記録媒体に記録されたデータの中から検索情報を検出する。上記時刻検索ステップは、検索ステップで検索された検索情報に書き込まれたリンク情報を参照して前記検索情報に対応する記録媒体に記録された時刻を検索する。時間間隔判断ステップは、検出ステップで検出された検索情報が示す時刻と時刻検索ステップで検索された時刻との時間間隔が所定の値よりも長いか否かを判断する。上記データ検索ステップは、時間間隔判断ステップで所定の値よりも長いと判断されたとき記録媒体に記録された映像信号の中から検出ステップで検出された時刻に対応する部分を検索する。
【００６１】
上述のように、上記時刻検索ステップで検出された時刻に対応する部分を検索してその部分から再生をすれば適当な映像（または音声）の切れ目から再生を開始することができる。しかし、検索情報が示す時刻と時刻検索ステップで検索された時刻との時間間隔があまりにも長すぎると、本来所望する部分から離れた部分から再生することになる。
【００６２】
上記画像情報検索方法では、データ検索ステップは、検出ステップで検出された検索情報が示す時刻と時刻検索ステップで検索された時刻との時間間隔が所定の値よりも長いとき、記録媒体に記録された映像信号の中から検出ステップで検出された時刻に対応する部分を検索する。これにより、上述の問題が解決され本来所望する部分から再生を開始することができる。
【００６３】
好ましくは、上記検索情報書き込みステップは、検索情報に文字検索のために記録したを示すデータを書き込む。つまり、検索情報書き込みステップは、「この検索情報は文字検索のために記録されたものである」というデータを検索情報に書き込んでその検索情報を記録媒体に記録する。
【００６４】
検索情報は、文字検索のために用いるだけでなく他の用途（ユーザ操作によるもの，ＣＭカットのための音声属性の切り替わり）に用いられるものが存在する。この場合、他の用途に用いる検索情報を検出ステップによって検出され、データ検索の際に利用されてると、本来所望とする部分を検索することが困難になる。
【００６５】
上記画像情報記録方法では、検索情報書き込みステップは、検索情報に文字検索のために記録したことを示すデータを書き込む。これにより、データ検索のときこのデータを参照することによって、文字検索のために用いる検索情報を識別することができユーザが設定した文字によってデータを検索を行うことが可能となる。
【００６６】
好ましくは、上記検出ステップは、記録媒体に記録されたデータの中から検索情報を検出するときその検索情報が文字検索のための検索情報であるか否かを判断する。
【００６７】
上記画像情報検索方法では、検出ステップは、検索情報に書き込まれたデータ（文字検索のために記録されたことを示すデータ）を参照して検索情報が文字検索のための検索情報であるか否かを判断する。検出ステップは、文字検索のための検索情報であると判断したとき検出された検索情報をデータ検索ステップ（または時刻検索ステップ）へ出力する。これにより、このデータを参照することによって、文字検索のために用いる検索情報を識別することができユーザが設定した文字によってデータを検索を行うことが可能となる。
【００６８】
【発明の実施の形態】
以下、この発明の実施の形態を図面を参照して詳しく説明する。なお、図中同一または相当部分には同一の符号を付しその説明は繰り返さない。
【００６９】
（第１の実施形態）
この発明の第１の実施形態による画像情報処理装置１の全体構成を図１に示す。この装置は、映像信号記録部０１００と、指定検索文字情報記憶部０１０１と、文字情報検出部０１０２と、文字情報比較部０１０３と、エントリポイント書き込み部０１０４と、検索部０１０６と、再生部０１０７とを備える。映像情報記録部０１００は、受信したテレビ信号をＤＶＤ−ＶＲ規格に基づいて順次記録媒体０１０５（ＤＶＤ−ＲＯＭ）に記録する。指定検索文字情報記憶部０１０１は、外部（ユーザ）から入力された検索文字ｃｈａ１をアスキーコードとして記憶する。文字情報検出部０１０２は、テレビ信号に重畳する文字情報ｃｈａ２をアスキーコードとして検出する。文字情報ｃｈａ２は、クローズドキャプション（字幕表示技術）の場合にテレビ信号のＬＩＮＥ２１上に重畳している。文字情報比較部０１０３は、検索文字ｃｈａ１と文字情報ｃｈａ２とが一致するか否かを判断する。エントリポイント書き込み部０１０４は、文字情報比較部０１０３で検索文字ｃｈａ１と文字情報ｃｈａ２とが一致すると判断されたときにＶＲ規格に基づいてエントリポイントを記録媒体１０５に記録する。検索部０１０６は、エントリポイントを参照して記録媒体０１０５に記録されたデータの中からユーザが所望する部分を検索する。再生部０１０７は、検索部０１０６で検索された部分より記録媒体０１０５に記録されたデータを再生する。
【００７０】
まず、ＤＶＤ−ＶＲ規格について図２および図３を参照しつつ説明する。
【００７１】
図２は、ＤＶＤ規格における管理情報の管理単位、およびビデオオブジェクトのデータ単位を示す。
【００７２】
ビデオファイルは、階層構造になっており、１つのファイルは、１つまたは複数のビデオオブジェクト（ＶＯＢ）で構成される。１つのビデオオブジェクト（ＶＯＢ）は、１つまたは複数のビデオオブジェクトユニット（ＶＯＢＵ）で構成される。１つのビデオオブジェクトユニット（ＶＯＢＵ）は、ＲＤＩパック（ＲＤＩ）やビデオパック（Ｖ）やオーディオパック（Ａ）等から構成される。ＲＤＩパックは、これが属するビデオオブジェクトユニット（ＶＯＢＵ）の最初のフィールドが再生される開始時間を示す情報や当該ビデオオブジェクトユニット（ＶＯＢＵ）の記録時間を示す情報などを含む。ビデオパック（Ｖ）は、パックヘッダ・パケットヘッダ・ビデオデータ部で構成される。オーディオパック（Ａ）は、パックヘッダ・パケットヘッダ・オーディオデータ部で構成される。
【００７３】
管理情報は、ビデオマネージャー（ＶＭＧ）と称される。ビデオマネージャー（ＶＭＧ）にはプログラムチェーン（ＰＧＣ）が定義されている。プログラムチェーン（ＰＧＣ）は、データ再生順序を管理し、タイトルまたはメニューの全体あるいは一部を再生する論理単位である。プログラムチェーン（ＰＧＣ）には、再生されるコンテンツの基本単位であるセル（Ｃｅｌｌ）の再生順番が定義されている。プログラムチェーン（ＰＧＣ）の具体的な情報を記録してある部分は、プログラムチェーン情報（ＰＧＣＩ）部分である。
【００７４】
図３は、ＤＶＤ−ＶＲ規格における管理情報（ビデオマネージャーＶＭＧ）に定義されているプログラムチェーン（ＰＧＣ）の具体的な情報を記録してあるプログラムチェーン情報（ＰＧＣＩ）のデータ構造を示す。プログラムチェーン情報（ＰＧＣＩ）は、プログラムチェーン一般情報（ＰＧＣ＿ＧＩ）とプログラム情報（ＰＧＩ）と、セル情報（ＣＩ）を含む。プログラムチェーン一般情報（ＰＧＣ＿ＧＩ）は、プログラムチェーン（ＰＧＣ）により再生されるプログラムが幾つ存在するかを示すプログラム数（ＰＧ＿Ｎｓ）、セルサーチポインタが幾つ存在するかを示すセルサーチポインタ数（Ｃ＿ＳＲＰ＿Ｎｓ）が記述されている。プログラム情報（ＰＧＩ）には、プログラムタイプ（ＰＧ＿ＴＹ）と、このプログラムのセル数（Ｃ＿Ｎｓ）と、このプログラムの代表画像情報（ＲＥＰ＿ＰＩＣＴＩ）が含まれる。代表画像情報（ＲＥＰ＿ＰＩＣＴＩ）には、代表画像のセル番号、およびこのセルの中のピクチャーポイントをプレゼンテーションタイムＰＴＭで記述されている。セル情報（ＣＩ）は、セル一般情報（Ｍ＿Ｃ＿ＧＩ）と、ムービーセルエントリーポイント情報（Ｍ＿Ｃ＿ＥＰＩ）が記述されている。セル一般情報（Ｍ＿Ｃ＿ＧＩ）には、ムービーであるかスチルであるかを示すセルタイプ（Ｃ＿ＴＹ）、このセルで特定されるビデオオブジェクトＶＯＢを指示するための情報（Ｍ＿ＶＯＢＩ＿ＳＲＰＮ）と、セルエントリーポイント情報が幾つあるかを示すセルエントリーポイント情報数（Ｃ＿ＥＰＩ＿Ｎｓ）が記述されている。上記のムービーセルエントリーポイント情報（Ｍ＿Ｃ＿ＥＰＩ）に、エントリーポイントのタイプ（ＥＰ＿ＴＹ）、およびエントリーポイントのプレゼンテーションタイム（ＥＰ＿ＰＴＭ）が記述されている。エントリポイントには、ＴＹＰＥＡとＴＹＰＥＢが存在し、ＴＹＰＥＢでは１２８ｂｙｔｅをＴＥＸＴ領域として使用できる。
【００７５】
以上がＤＶＤ−ＶＲ規格についての説明である。
【００７６】
以下に、図１に示した画像情報処理装置１における記録処理時の動作について、図４を参照しつつ説明する。
【００７７】
〔記録処理〕
〔ステップＳＴ１０１〕
まず、指定検索文字情報記憶部０１０１は、外部（ユーザ）から入力された検索文字ｃｈａ１をアスキーコードとして記憶する。また、映像信号記録部０１１０は、受信したテレビ信号をＤＶＤ−ＶＲ規格に基づいて順次記録媒体０１０５に記録する。
【００７８】
〔ステップＳＴ１０２〕
次に、文字情報検出部０１０２は、テレビ信号の映像信号垂直帰線期間の２１ラインに重畳する文字情報ｃｈａ２をアスキーコードとして検出する。
【００７９】
〔ステップＳＴ１０３〕
次に、文字情報比較部０１０３は、検索文字ｃｈａ１と文字情報ｃｈａ２とが一致するか否かを判断する。一致する場合にはステップＳＴ１０４へ進む。そうでない場合にはステップＳＴ１０２へ進む。
【００８０】
〔ステップＳＴ１０４〕
次に、エントリポイント書き込み部０１０４は、ＤＶＤ−ＶＲ規格に基づいてエントリポイントを記録媒体１０５に記録する。つまり、エントリポイント書き込み部０１０４は、エントリポイントをプログラム情報（ＰＧＩ）に書き込む。このとき、エントリポイントは他の用途のもの（ユーザ操作によるものや、ＣＭカットのための音声属性の切り替わりによるものなど）と区別するためにエントリポイントの領域ＰＲＭ＿ＴＸＴＩ（図３参照）に文字検索のためのエントリポイントであることを示すＩＤを書き込む。また、エントリポイントの領域ＥＰ＿ＰＴＭ（図３参照）には、検索文字ｃｈａ１と文字情報ｃｈａ２とが一致した時刻が格納される。
【００８１】
〔ステップＳＴ１０５〕
次に、記録処理を終了するか否かを判断する。所望のテレビ信号を全て記録するかユーザから記録処理の終了が指示された場合には記録処理を終了する。そうでない場合にはステップＳＴ１０２へ進む。
【００８２】
以下に、図１に示した画像情報処理装置１による再生処理時の動作について図５を参照しつつ説明する。
【００８３】
〔再生処理〕
〔ステップＳＴ１１１〕
まず、検索部０１０６は、記録媒体０１０５に記録されたデータの中からエントリポイントを検索する。
【００８４】
〔ステップＳＴ１１２〕
次に、検索部０１０６は、検索したエントリポイントが文字検索のためのエントリポイント（文字ＥＰ）であるか否かをエントリポイントの領域ＰＲＭ＿ＴＸＴＩ（図３参照）に書き込まれたＩＤを参照して判断する。文字ＥＰであると判断した場合にはステップＳＴ１１３へ進み、そうでない場合にはステップＳＴ１１１へ進む。
【００８５】
〔ステップＳＴ１１３〕
次に、再生部０１０７は、検索部０１０６で検索した文字ＥＰの領域ＥＰ＿ＰＴＭ（図３参照）が示す時刻より記録媒体０１０５に記録されたデータを再生する。つまり、文字ＥＰの領域ＥＰ＿ＰＴＭ（図３参照）が示す時刻とパックヘッダに格納されている時刻管理情報（ＰＴＳ）とを参照してコンテンツであるビデオオブジェクトを再生する。
【００８６】
以上のように、ユーザから入力された文字（ｃｈａ１）とテレビ信号に重畳する文字情報（ｃｈａ２）とが一致した場合に記録媒体０１０５に書き込むことによって、ユーザが設定した文字で再生時に所望の部分を検索することが可能となる。これにより、文字検索のためのエントリポイントを検索し、それが示す時刻に対応する部分よりデータを再生することによって、ユーザの文字検索を可能とする。
【００８７】
なお、ステップＳＴ１０１において文字情報記憶部０１０１が記憶する文字情報ｃｈａ１は、１つでも複数でもかまわない。複数の文字情報ｃｈａ１が記憶されている場合には、文字情報検出部０１０２で検出された文字情報ｃｈａ２と記憶された文字情報ｃｈａ１とを１つずつ比較すればいい。
【００８８】
なお、テレビ信号はＮＴＳＣ信号のようなアナログ放送を用いて説明したが、デジタル放送を用いてもよい。デジタル放送の場合には、文字情報は音声や画像などとは別のパケットに格納されている。文字情報検出部０１０１は、文字情報が格納されたパケットを検出することで文字情報を検出することができる。
【００８９】
なお、記録処理において、ユーザが所望の画像が現れたときにエントリーポイントの設定キーを操作するなどして、新たにエントリポイントを追加することが可能である。
【００９０】
なお、画像情報処理装置１は画像情報記録装置と画像情報再生装置とに分けて使用することも可能である。２つに分けて使用する場合、画像情報記録装置は、指定検索文字情報記憶部０１０１、文字情報検出部０１０２、文字情報比較部０１０３、エントリポイント書き込み部０１０４を備え、画像情報再生装置は、検索部０１０６および再生部０１０７を備える。つまり、記録処理を行う部分を画像情報記録装置とし、再生処理を行う部分を画像情報再生装置としてもかまわない。
【００９１】
（第２の実施形態）
この発明の第２の実施形態による画像情報処理装置２の全体構成を図６に示す。この装置は、図１に示した画像情報処理装置１において、文字情報記憶部０２０１と、文章切れ目検出部０２０２と、文章情報書き込み部０２０３と、サムネイル作成部０２０４と、ＯＳＤ作成部０２０５とをさらに備える。文字情報記憶部０２０１は、文字情報検出部０１０２で検出された文字情報を記憶する。文章切れ目検出部０２０２は、文章の切れ目となるＥＯＴの制御コードを検出する。検出時には文字情報記憶部０２０１は記憶した文字情報を消去する。文章情報書き込み部０２０３は、文字情報比較部０１０３で一致すると判断されたとき文字情報記憶部０２０１で記憶された文字情報を記録媒体０１０５に書き込む。検索部０１０６は、さらにエントリポイントの発生頻度を求める。ＯＳＤ作成部０２０５は、記録媒体０１０５に書き込まれたデータを検索する際にエントリポイントを参照して記録媒体０１０５に記録した文章データを読み出しＯＳＤを作成する。サムネイル作成部０２０４は、エントリポイントが含まれるプログラム情報ＰＧＩより代表画像を取得してサムネイルを作成する。
【００９２】
以下に、図６に示した画像情報処理装置２による記録処理時の動作について、図７を参照しつつ説明する。記録処理時にはステップＳＴ１０１からステップＳＴ１０５における処理（エントリポイント書き込み処理）と並行して以下のように処理が行われる。
【００９３】
〔記録処理〕
まず、ステップＳＴ１０１，ステップＳＴ１０２における処理が行われ、指定検索文字情報記憶部０１０１は検索文字ｃｈａ１が記録し、文字情報検出部０１０２は文字情報ｃｈａ２を検出する。
【００９４】
〔ステップＳ２０２〕
次に、文字情報記憶部０２０１は、文字情報検出部０１０２で検出された文字情報を記憶する。
【００９５】
〔ステップＳＴ２０３〕
次に、文章切れ目検出部０２０２は、文字情報検出部０１０２で検出された文字情報より文章の切れ目を示すＥＯＴの制御コードを検出する。文章切れ目検出部０２０２がＥＯＴの制御コードを検出された場合には文字情報記憶部０２０１はステップＳＴ２０７へ進む。そうでない場合にはステップＳＴ１０３へ進む。
【００９６】
〔ステップＳＴ１０３〕
次に、文字情報比較部０１０３は、検索文字ｃｈａ１と文字情報ｃｈａ２とが一致するか否かを判断する。一致する場合にはステップＳＴ１０３へ進む。一致しない場合にはステップＳＴ１０２へ進む。また、並行して行われる処理（エントリポイント書き込み処理）では、一致する場合にはステップＳＴ１０４へ進み、一致しない場合にはステップＳＴ１０２へ進む。
【００９７】
〔ステップＳＴ２０５〕
次に、文章書き込み部０２０３は、文字情報比較部０１０３で文字情報ｃｈａ１と文字情報ｃｈａ２とが一致すると判断された場合、文字情報記憶部０２０１で記憶された文字情報を記録媒体０１０５に記録する。記録媒体０１０５への記録は文章切れ目検出部０２０２でＥＯＴの制御コードが検出されるまで続く。つまり、文字情報ｃｈａ２が含まれる１つの文章を記録媒体に記録する。また、並行して行われるステップＳＴ１０４における処理で、エントリポイント書き込み部０１０４は、エントリポイントを書き込む際、文字検索のためのエントリポイント（文字ＥＰ）であることを示すＩＤ、および文字情報を書き込んだ領域を示すポインタとこの文字ＥＰとのリンク情報をエントリポイントの領域ＰＲＭ＿ＴＸＴＩ（図３参照）に書き込む。
【００９８】
〔ステップＳＴ１０５〕
次に、記録処理を終了するか否かを判断する。所望のテレビ信号を全て記録するかユーザより記録処理の終了が指示された場合には記録処理を終了する。そうでない場合にはステップＳＴ１０２へ進む。また、並行して行われる処理（エントリポイント書き込み処理）では、記録処理を終了しない場合にはステップＳＴ１０２へ進む。
【００９９】
〔ステップＳＴ２０７〕
一方、ステップＳＴ２０３でＥＯＴの制御コードが検出された場合、文字情報記憶部０２０２は記憶した文字情報を全て消去する。次に、ステップＳＴ１０２へ進む。
【０１００】
以下に、図６に示した画像情報処理装置２による再生処理時の動作について図８を参照しつつ説明する。
【０１０１】
〔再生処理〕
〔ステップＳＴ２１１〕
まず、検索部０１０６は、ステップＳＴ１１１における処理を行いエントリポイントを検索する。
【０１０２】
〔ステップＳＴ２１２〕
次に、検索部０１０６は、検索したエントリポイントの領域ＰＲＭ＿ＴＸＴＩ（図３参照）を参照して文字ＥＰであるか否かを判断する。文字ＥＰである場合にはステップＳＴ２１３へ進み、そうでない場合にはステップＳＴ２１１へ進む。
【０１０３】
〔ステップＳＴ２１３〕
次に、検索部は、文字ＥＰの領域ＥＰ＿ＰＴＭ（図３参照）が示す時刻を参照して１つの番組内における文字ＥＰの時間間隔を求める。つまり、図９のように、文字ＥＰを時間軸上に並べたときに隣接する文字ＥＰの間隔を求める。また、番組の識別は、管理情報であるビデオマネージャー（ＶＭＧ）を参照して行うことができる。
【０１０４】
〔ステップＳＴ２１４〕
次に、検索部０１０６は、求めた文字ＥＰの時間間隔の中から最大の時間間隔Ｔｗを選択する。図９の場合、先頭から４番目の文字ＥＰ（ＥＰ４）と先頭から５番目の文字ＥＰ（ＥＰ５）との間隔になる。
【０１０５】
〔ステップＳＴ２１５〕
次に、検索部０１０６は、１つの番組内に存在する全ての文字ＥＰに対して、各文字ＥＰの時刻から時間間隔Ｔｗ後までに存在する文字ＥＰの数をカウントする。そのカウント数を発生回数とし、各文字ＥＰにおける時間間隔Ｔｗ内の発生回数（発生頻度）を求める。図９の場合、先頭の文字ＥＰ（ＥＰ１）の発生回数は２回となり、先頭から４番目の文字ＥＰ（ＥＰ４）の発生回数は１回となる。
【０１０６】
〔ステップＳＴ２１６〕
次に、ＯＳＤ作成部０２０５は、１つの番組内に存在する最初の文字ＥＰ（図９の場合には先頭の文字ＥＰ（ＥＰ１））に対して、記録媒体０１０５に記録された文字ＥＰの領域ＰＲＭ＿ＴＸＴＩ（図３参照）に書き込まれたリンク情報を参照して記録媒体０１０５に記録された文字情報より文字ＥＰ対応したＯＳＤを作成する。
【０１０７】
〔ステップＳＴ２１７〕
また、サムネイル作成部０２０４は、１つの番組内で存在する最初の文字ＥＰ（図９の場合には先頭の文字ＥＰ（ＥＰ１））に対して、その文字ＥＰが書き込まれているプログラム情報ＰＧＩの代表画像情報ＲＥＰ＿ＰＩＣＴＩ（図３参照）を参照して記録媒体０１０５に記録されたテレビ信号（画像情報）よりその文字ＥＰに対応したサムネイルを作成する。
【０１０８】
〔ステップＳＴ２１８〕
次に、検索部０１０６，ＯＳＤ作成部０２０５，サムネイル作成部０２０４はそれぞれ、ＯＳＤ・サムネイル・発生頻度が全ての番組に対して作成されたか否かを判断する。全ての番組に対してこの組が作成された場合には、ステップＳＴ２１９へ進む。そうでない場合には、ステップＳＴ２１１へ進む。
【０１０９】
〔ステップＳＴ２１９〕
次に、検索部０１０６，ＯＳＤ作成部０２０５，サムネイル作成部０２０４はそれぞれ、最初の文字ＥＰ（図９の場合には先頭の文字ＥＰ（ＥＰ１））に対応する作成されたＯＳＤ・サムネイル・発生頻度を選択画面として表示装置に表示する（図１０参照）。つまり、番組の数だけ文字ＥＰに対応するＯＳＤ・サムネイル・発生頻度を表示する。
【０１１０】
以下に、選択画面について図１０を参照しつつ説明する。図中の向かって左側の画像は、各番組中に存在する最初の文字ＥＰに対応するサムネイルである。図中中央の数字は、各番組中に存在する最初の文字ＥＰに対応する発生頻度である。詳しくいえば、左の回数は発生回数を示し右の時間は最大の時間間隔Ｔｗを示す。図中向かって右側の文章は、各番組中に存在する最初の文字ＥＰに対応するＯＳＤである。ＯＳＤでの文章中の下線部は、検索文字ｃｈａ１と一致すると判断された文字情報ｃｈａ２を示す。図１０においてＯＳＤは、番組中に登場した人物が会話した内容や効果音を英語によって示している。つまり、図１０の場合、テレビ信号に多重されている文字情報は英語で表記されており、検索文字ｃｈａ１も英語で入力されている。これらのサムネイル，発生頻度，ＯＳＤは、横一列で一組なっている。つまり、横一列に一組のサムネイル，発生頻度，ＯＳＤは、１つの番組を示す。図１０の場合、この画面は、３つの番組を示している。
【０１１１】
以上のような選択画面よりユーザは所望の文字ＥＰを選択する。例えば、ユーザは表示装置に表示された選択画面より所望のサムネイルをカーソル選択する。
【０１１２】
〔ステップＳＴ２２０〕
次に、再生部０１０７は、ユーザが選択した文字ＥＰの領域ＥＰ＿ＰＴＭ（図３参照）が示す時刻より記録媒体０１０５に記録されたデータを再生する。つまり、文字ＥＰの領域ＥＰ＿ＰＴＭ（図３参照）が示す時刻とパックヘッダに格納されている時刻管理情報（ＰＴＳ）とを参照してコンテンツであるビデオオブジェクトを再生する。例えば、再生部０１０７は、ユーザによってカーソル選択されたサムネイルに対応する文字ＥＰの領域ＥＰ＿ＰＴＭ（図３参照）が示す時刻から記録されたデータを再生する。
【０１１３】
以上のように、文字ＥＰに対応した文章を併せて記録媒体０１０５に記録することによって、文字ＥＰによるシーン検索を行う際に、文字ＥＰに対応する画像，文章，および発生頻度を参照しつつ文字ＥＰを選択することができる。これにより、文字ＥＰに対応する画像，文章，および発生頻度を参照すれば各文字ＥＰに優先度（その検索情報が示す部分がユーザの所望する映像の部分とどの程度近いかを示す度合い）をつけることができ、ユーザは各文字ＥＰがどの部分に対応しているかを知ることができる。
【０１１４】
（第３の実施形態）
この発明の第３の実施形態による画像情報処理装置の全体構成は図１に示したものと同じであるが、検索部０１０６による動作が異なる。第３の実施形態では、検索部０１０６は、発生頻度をグラフで示したものを選択画面として表示装置に表示する。
【０１１５】
以下に、第３の実施形態による画像情報処理装置における動作について説明する。
【０１１６】
まず、記録処理時の動作は、図４に示したものと同じである。
【０１１７】
次に、再生処理時の動作について説明する。
【０１１８】
まず第２の実施形態のステップＳＴ２１１からステップＳＴ２１５における処理が行われ、検出部０１０６は、１つの番組内に存在する文字ＥＰの発生頻度を求める。
【０１１９】
次に、検出部０１０６は、図１１に示すように横軸を文字ＥＰの時刻ＥＰ＿ＰＴＭとし、縦軸を文字ＥＰの発生回数とするグラフを作成して表示装置に表示する。図１１は、１つの番組内に存在する文字ＥＰの発生頻度の時間的分布を示したグラフである。
【０１２０】
次に、ユーザは、表示装置に表示された選択画面より所望の文字ＥＰを選択する。例えば、ユーザは、表示装置に表示された選択画面（図１１参照）より黒丸をカーソル選択する。
【０１２１】
次に、ステップＳＴ２２０における処理が行われ、再生部０１０７は、ユーザが選択した文字ＥＰの領域ＥＰ＿ＰＴＭ（図３参照）が示す時刻より記録媒体０１０５に記録されたデータを再生する。つまり、文字ＥＰの領域ＥＰ＿ＰＴＭ（図３参照）が示す時刻とパックヘッダに格納されている時刻管理情報（ＰＴＳ）とを参照してコンテンツであるビデオオブジェクトを再生する。例えば、再生部０１０７は、ユーザによってカーソル選択された黒丸（図１１参照）に対応する文字ＥＰの領域ＥＰ＿ＰＴＭ（図３参照）が示す時刻から記録されたデータを再生する。
【０１２２】
以上のように、ユーザは、文字ＥＰの発生頻度を時間分布で示したグラフを参照することができる。これにより、各文字ＥＰに優先度をつけることができ、ユーザは指定した文字がどの時間帯に頻繁に登場するのかを知ることができる。
【０１２３】
（第４の実施形態）
この発明の第４の実施形態による画像情報処理装置４の全体構成を図１２に示す。この装置は、図６に示した画像情報処理装置２において文字情報記憶部０２０１と、文章切れ目検出部０２０２と、文章情報書き込み部０２０３と、ＯＳＤ作成部０２０４と、サムネイル作成部０２０５とに代えて、輝度データ取得部０４０１と、輝度データ記憶部０４０２と、輝度比較部０４０３と、輝度変化画素数カウント部０４０４と、シーン変化判断部０４０５と、時刻記憶部０４０６と、シーン変化時刻書き込み部０４０７とを備える。輝度データ取得部０４０１は、テレビ信号より画像フレームを取り出しそのフレームの各画素における輝度データを取得する。輝度データ記憶部０４０２は、輝度データ取得部０４０１で取得した輝度データを記憶する。輝度比較部０４０３は、輝度データ取得部０４０１で取得した輝度データと輝度データ記憶部０４０２で記憶された輝度データ（輝度データ取得部０４０１で取得した輝度データよりも１フレーム前のもの）とを画素単位で比較する。輝度変化画素数カウント部０４０４は、輝度比較部０４０３でフレーム間の輝度データの差が所定の値よりも大きい画素の数をカウントする。シーン変化判断部０４０５は、輝度変化画素数カウント部０４０４でカウントした画素の数と所定の値とを比較してシーンが変化したか否かを判断する。時刻記憶部０４０６は、シーン変化判断部０４０５でシーンが変化したと判断された場合に輝度データ取得部０４０１で取得したフレームの時刻を記憶する。シーン変化時刻書き込み部０４０７は、文字情報比較部０１０３で一致すると判断された場合に時刻記憶部０４０６に記憶された時刻を記録媒体０１０５に記録する。
【０１２４】
以下に、図１２に示した画像情報処理装置４における記録処理時の動作について図１３を参照しつつ説明する。記録処理時にはステップＳＴ１０１からステップＳＴ１０５における処理（エントリポイント書き込み処理）と並行して以下のように処理が行われる。詳しく述べれば、ステップＳＴ１０１，ステップＳＴ１０２の処理と並行してステップＳＴ４０１からステップＳＴ４０６の処理を行い、ステップＳＴ１０３の処理の結果に応じてステップＳＴ１０４の処理を行うのと並行してステップＳＴ１０３の結果に応じてステップＳＴ４０８の処理を行う。
【０１２５】
〔記録処理〕
〔ステップＳＴ４０１〕
まず、輝度データ取得部０４０１は、テレビ信号より画像フレームを１つ取得し、そのフレームに存在する全画素の輝度データを取得する。つまり、１フレーム内にｎ個の画素が存在する場合にはｎ個の輝度データを取得する。また、映像信号記録部０１００は、受信したテレビ信号をＤＶＤ−ＶＲ規格に基づいて順次記録媒体０１０５に記録する。
【０１２６】
〔ステップＳＴ４０２〕
次に、輝度データ記憶部０４０２は、輝度データ取得部０４０１で取得した輝度データＰを記憶する。このとき、輝度データ取得部０４０１は、テレビ信号より次のフレーム（ステップＳＴ４０１で取得したフレームに対して時間的に１つ後ろに存在するフレーム）を取得し、そのフレームに存在する全画素の輝度データＱを取得する。つまり、輝度データ記憶部０４０２は、輝度データ取得部０４０１で現在取得されたフレームに対して時間的に１つ前に存在するフレームの輝度データを記憶する。
【０１２７】
〔ステップＳＴ４０３〕
次に、輝度比較部０４０３は、輝度データ記憶部０４０２で記憶された輝度データＰと輝度データ取得部０４０１で新たに取得した輝度データＱとの差を画素単位で求める。輝度データＱは、輝度データＰが記憶された後に輝度データ取得部０４０１で取得されたものである。つまり、輝度データＱは、輝度データＰを取得したフレームよりも１つ後に存在するフレームから取得されたものである。このように、これらの差を求めることによって、各画素における輝度データの時間的変化を求めることができる。
【０１２８】
〔ステップＳＴ４０４〕
次に、輝度変化画素数カウント部０４０４は、輝度比較部０４０３で求めた各画素における輝度データの差が所定の値よりも大きい画素の数をカウントする。つまり、１フレーム内に存在するｎ個の画素のうち、輝度データの差が所定の値よりも大きいものをカウントする。
【０１２９】
〔ステップＳＴ４０５〕
次に、シーン変化判断部０４０５は、輝度変化画素数カウント部０４０４でカウントした画素の数が所定の値よりも多い場合にシーン変化と判断する。シーン変化と判断した場合にはステップＳＴ４０６へ進み、シーン変化と判断されなかった場合にはステップＳＴ４０１へ進む。
【０１３０】
〔ステップＳＴ４０６〕
次に、時刻記憶部０４０６は、輝度データ取得部０４０１で取得したフレームの時刻（シーン変化時刻）を記憶する。なお、新たにシーン変化時刻を記憶するときには、以前に記憶したシーン変化時刻を消去する。つまり、時刻記憶部０４０６は最新のシーン変化時刻のみを記憶する。
【０１３１】
〔ステップＳＴ１０３〕
次に、文字情報比較部０１０３は、検索文字ｃｈａ１と文字情報ｃｈａ２とが一致するか否かを判断する。一致する場合にはステップＳＴ４０８へ進む。一致しない場合にはステップＳＴ４０１へ進む。また、並行して行われる処理（エントリポイント書き込み処理）では、一致する場合にはステップＳＴ１０４へ進み、一致しない場合にはステップＳＴ１０２へ進む。
【０１３２】
〔ステップＳＴ４０８〕
次に、シーン変化時刻書き込み部０４０７は、文字情報比較部０１０３で文字情報ｃｈａ１と文字情報ｃｈａ２とが一致すると判断された場合に時刻記憶部０４０６で記憶された時刻（シーン変化時刻）を記録媒体０１０５に記録する。また、また、並行して行われるステップＳＴ１０４における処理で、エントリポイント書き込み部０１０４は、エントリポイントを書き込む際、文字検索のためのエントリポイントであることを示すＩＤ、およびシーン変化時刻を書き込んだ領域を示すポインタとこのエントリポイントとのリンク情報を領域ＰＲＭ＿ＴＸＴＩ（図３参照）に書き込む。
【０１３３】
〔ステップＳＴ１０５〕
次に、記録処理を終了するか否かを判断する。テレビ信号をすべて記録するか、もしくはユーザから記録処理の終了が指示された場合には記録処理を終了する。そうでない場合には、ステップＳＴ４０１へ進む。また、並行して行われる処理（エントリポイント書き込み処理）では、記録処理を終了しない場合にはステップＳＴ１０２へ進む。
【０１３４】
以上のように、エントリポイントを書き込む際に併せてシーン変化の時刻も記録することによって、シーン検索のときに、所望のエントリポイントを選択することで適当な映像の切れ目から再生することができる。
【０１３５】
以下に、図１２に示した画像情報処理装置４の再生処理時の動作について、図１４を参照しつつ説明する。
【０１３６】
〔ステップＳＴ４１１〕
まず、検索部０１０６は、記録媒体に記録したデータの中からエントリポイントを検索する。
【０１３７】
〔ステップＳＴ４１２〕
次に、検索部０１０６は、検索したエントリポイントの領域ＰＲＭ＿ＴＸＴＩ（図３参照）を参照して文字ＥＰであるか否かを判断する。文字ＥＰである場合にはステップＳＴ４１３へ進み、そうでない場合には、ステップＳＴ４１１へ進む。
【０１３８】
〔ステップＳＴ４１３〕
次に、検索部０１０６は、記録媒体０１０５に記録されたシーン変化時刻の中からユーザによって選択された文字ＥＰに対応するシーン変化時刻を文字ＥＰの領域ＰＲＭ＿ＴＸＴＩ（図３参照）に書き込まれたリンク情報を参照して検索する。
【０１３９】
〔ステップＳＴ４１４〕
次に、検索部０１０６は、検索されたシーン変化時刻と文字ＥＰの領域ＥＰ＿ＰＴＭ（図３参照）が示す時刻との時間間隔が所定の値よりも長いか否かを判断する。所定の値よりも長い場合にはステップＳＴ４１５へ進み、そうでない場合にはステップＳＴ４１６へ進む。
【０１４０】
〔ステップＳＴ４１５〕
次に、再生部０１０７は、文字ＥＰの領域ＥＰ＿ＰＴＭ（図３参照）が示す時刻より記録媒体０１０５に記録されたデータを再生する。つまり、文字ＥＰの領域ＥＰ＿ＰＴＭ（図３参照）が示す時刻とパックヘッダに格納されている時刻管理情報（ＰＴＳ）とを参照してコンテンツであるビデオオブジェクトを再生する。
【０１４１】
〔ステップＳＴ４１６〕
一方、ステップＳＴ４１４で時間間隔が所定の値よりも長いと判断された場合、再生部０１０７は、検索部０１０６で検索したシーン変化時刻より記録媒体０１０５に記録されたデータを再生する。つまり、シーン変化時刻とパックヘッダに格納されている時刻管理情報（ＰＴＳ）とを参照してコンテンツであるビデオオブジェクトを再生する。
【０１４２】
以上のように、文字ＥＰに対応したシーン変化時刻よりデータを再生することによって、適当な映像の切れ目から再生することができる。
【０１４３】
なお、ステップＳＴ４０１の処理において輝度データ取得部０４０１で輝度データを取得するフレームＱはフレームＰに対して時間的に１つ後ろのフレームである。これは、各画素における輝度データの時間的変化を求めるために時刻の異なるフレームを用いているので、１つ後ろのフレームでなくてもかまわない。
【０１４４】
（第５の実施形態）
この発明の第５の実施形態による画像情報処理装置５の全体構成を図１５に示す。この装置は、図１２に示した画像情報処理装置４において、輝度データ取得部０４０１と、輝度データ記憶部０４０２と、輝度比較部０４０３と、輝度変化画素数カウント部０４０４と、シーン変化判断部０４０５と、シーン変化時刻書き込み部０４０７とに代えて、音声レベル検出部０５０１と、音声レベル比較部０５０２と、無音期間計測部０５０３と、話題変化判断部０５０４と、話題変化時刻書き込み部０５０５とを備える。音声レベル検出部０５０１は、テレビ信号より音声信号を取り出しそのレベルを検出する。音声レベル比較部０５０２は、音声レベル検出部０５０１で検出された音声レベルと所定の値（無音判断しきい値）とを比較する。無音期間計測部０５０３は、音声レベル比較部０５０２で音声レベルが所定の値（無音判断しきい値）よりも小さいと判断され続けた期間を計測する。話題変化判断部０５０４は、無音期間計測部０５０３で計測された時間と所定の値とを比較して話題が変化したか否かを判断する。時刻記憶部０４０６は、話題変化判断部０５０４で話題が変化したと判断された場合に音声レベル比較部０５０２で音声レベルが所定の値よりも大きいと判断された時刻（無音期間計測部０５０３で計測した期間の終端の時刻）を記憶する。話題変化時刻書き込み部０５０５は、文字情報比較部０１０３で一致したと判断された場合に時刻記憶部０４０６で記憶された時刻を記録媒体０１０５に記憶する。
【０１４５】
以下に、図１５に示した画像情報処理装置５による記録処理時の動作について図１６を参照しつつ説明する。記録処理時にはステップＳＴ１０１からステップＳＴ１０５における処理（エントリポイント書き込み処理）と並行して以下のように処理が行われる。詳しく述べれば、ステップＳＴ１０１，ステップＳＴ１０２の処理と並行してステップＳＴ５０１からステップＳＴ５０５の処理を行い、ステップＳＴ１０３の処理の結果に応じてステップＳＴ１０４の処理を行うのと並行してステップＳＴ１０３の結果に応じてステップＳＴ５０７の処理を行う。
【０１４６】
〔記録処理〕
〔ステップＳＴ５０１〕
まず、音声レベル検出部０５０１は、テレビ信号より音声信号を検出し、さらにその音声信号のレベルを検出する。また、映像信号記録部０１００は、受信したテレビ信号をＤＶＤ−ＶＲ規格に基づいて順次記録媒体０１０５に記録する。
【０１４７】
〔ステップＳＴ５０２〕
次に、音声レベル比較部０５０２は、音声レベル比較部０５０１で検出された音声レベルが所定の値（無音判断しきい値）よりも大きいか否かを判断する。
【０１４８】
〔ステップＳＴ５０３〕
次に、無音期間計測部０５０３は、音声レベル比較部０５０２で音声レベルが所定の値（無音判断しきい値）よりも小さいと判断され続けた期間を計測する。つまり、音声レベル比較部０５０２で音声レベルが所定の値（無音判断しきい値）よりも大きいと判断された直後に音声レベルが所定の値（無音判断しきい値）よりも小さいと判断された場合からカウントを開始して、次に音声レベル比較部０５０２で音声レベルが所定の値（無音判断しきい値）よりも大きいと判断される場合までの時間をカウントする。また、レベル比較部０５０２で音声レベルが所定の値（無音判断しきい値）よりも大きいと判断された場合には、無音期間計測部０５０３はカウンタをリセットする。つまり、無音期間計測部０５０３は、音声レベルが所定の値（無音判断しきい値）を下回っている期間を計測する。
【０１４９】
〔ステップＳＴ５０４〕
次に、話題変化判断部０５０４は、無音期間計測部０５０３で計測された期間が所定の値よりも長い場合に話題変化と判断する。話題変化と判断した場合にはステップＳＴ５０５へ進み、話題変化と判断しない場合にはステップＳＴ５０１へ進む。
【０１５０】
〔ステップＳＴ５０５〕
次に、時刻記憶部０４０６は、無音期間計測部０５０３でカウンタがリセットされたときの時刻、つまり音声レベル比較部０５０２で所定の値（無音判断しきい値）よりも大きいと判断されたときの時刻（話題変化時刻）を記憶する。なお、新たに話題変化時刻を記憶するときには、以前に記憶した話題変化時刻を消去する。つまり、時刻記憶部０４０６は最新の話題変化時刻のみを記憶する。
【０１５１】
〔ステップＳＴ１０３〕
次に、文字情報比較部０１０３は、検索文字ｃｈａ１と文字情報ｃｈａ２とが一致するか否かを判断する。一致する場合にはステップＳＴ５０７へ進む。一致しない場合にはステップＳＴ５０１へ進む。また、並行して行われる処理（エントリポイント書き込み処理）では、一致する場合にはステップＳＴ１０４へ進み、一致しない場合にはステップＳＴ１０２へ進む。
【０１５２】
〔ステップＳＴ５０７〕
次に、話題変化時刻書き込み部０５０５は、時刻記憶部０４０６で記憶された時刻（話題変化時刻）を記録媒体０１０５に記録する。また、並行して行われるステップＳＴ１０４における処理で、エントリポイント書き込み部０１０４は、エントリポイントを書き込む際、文字検索のためのエントリポイントであることを示すＩＤ、および話題変化時刻を書き込んだ領域を示すポインタとこのエントリポイントとのリンク情報を領域ＰＲＭ＿ＴＸＴＩ（図３参照）に書き込む。
【０１５３】
〔ステップＳＴ１０５〕
次に、記録処理を終了するか否かを判断する。テレビ信号をすべて記録するか、もしくはユーザから記録処理の終了が指示された場合には記録処理を終了する。そうでない場合には、ステップＳＴ５０１へ進む。また、並行して行われる処理（エントリポイント書き込み処理）では、記録処理を終了しない場合にはステップＳＴ１０２へ進む。
【０１５４】
以上のように、エントリポイントを書き込む際に併せて話題変化の時刻も記録することによって、シーン検索のときに、所望のエントリポイントを選択することで適当な音声の切れ目から再生することができる。
【０１５５】
以下に、図１５に示した画像情報処理装置５における再生処理時の動作について、図１７を参照しつつ説明する。
【０１５６】
〔再生処理〕
〔ステップＳＴ５１１〕
まず、検索部０１０６は、記録媒体に記録したデータの中からエントリポイントを検索する。
【０１５７】
〔ステップＳＴ５１２〕
次に、検索部０１０６は、検索したエントリポイントの領域ＰＲＭ＿ＴＸＴＩ（図３参照）を参照して文字ＥＰであるか否かを判断する。文字ＥＰである場合にはステップＳＴ５１３へ進み、そうでない場合には、ステップＳＴ５１１へ進む。
【０１５８】
〔ステップＳＴ５１３〕
次に、検索部０１０６は、文字ＥＰの領域ＰＲＭ＿ＴＸＴＩ（図３参照）に書き込まれたリンク情報を参照して、記録媒体０１０５に記録された話題変化時刻の中からユーザによって選択された文字ＥＰに対応する話題変化時刻を検索する。
【０１５９】
〔ステップＳＴ５１４〕
次に、検索部０１０６は、検索された話題変化時刻と文字ＥＰの領域ＥＰ＿ＰＴＭ（図３参照）が示す時刻との時間間隔が所定の値よりも長いか否かを判断する。所定の値よりも長い場合にはステップＳＴ５１５へ進み、そうでない場合にはステップＳＴ５１６へ進む。
【０１６０】
〔ステップＳＴ５１５〕
次に、再生部０１０７は、文字ＥＰの領域ＥＰ＿ＰＴＭ（図３参照）が示す時刻より記録媒体０１０５に記録されたデータを再生する。つまり、文字ＥＰの領域ＥＰ＿ＰＴＭ（図３参照）が示す時刻とパックヘッダに格納されている時刻管理情報（ＰＴＳ）とを参照してコンテンツであるビデオオブジェクトを再生する。
【０１６１】
〔ステップＳＴ５１６〕
一方、ステップＳＴ５１４で時間間隔が所定の値よりも長いと判断された場合、再生部０１０７は、検索部０１０６で検索した話題変化時刻より記録媒体０１０５に記録されたデータを再生する。つまり、話題変化時刻とパックヘッダに格納されている時刻管理情報（ＰＴＳ）とを参照してコンテンツであるビデオオブジェクトを再生する。
【０１６２】
以上のように、文字ＥＰに対応した話題変化時刻よりデータを再生することによって、適当な音声の切れ目から再生することができる。つまり、文字ＥＰの領域ＥＰ＿ＰＴＭ（図３参照）が示す時刻とパックヘッダに格納されている時刻管理情報（ＰＴＳ）とを参照してコンテンツであるビデオオブジェクトを再生する。
【０１６３】
【発明の効果】
以上のように、この発明による画像情報処理装置および方法では、文字情報検出部で検出された文字情報とあらかじめ設定された検索パラメータとが一致する時刻を含む検索情報を記録媒体に記録することによって、データ検索の際に検索情報を検索すれば記録されたデータの中から文字情報が一致した時刻に対応する部分を検索することができる。つまり、ユーザが指定した文字によって検索を行うことが可能となる。
【図面の簡単な説明】
【図１】この発明の第１の実施形態による画像情報処理装置の全体構成を示すブロック図である。
【図２】ＤＶＤの管理情報とビデオオブジェクトとの関係の一例を示す図である。
【図３】ＤＶＤ−ＶＲ規格におけるプログラムチェーン情報（ＰＧＣＩ）のデータ構造の一例を示す図である。
【図４】図１に示した画像情報処理装置による記録処理時の動作を示したフローチャートである。
【図５】図１に示した画像情報処理装置による再生処理時の動作を示したフローチャートである。
【図６】この発明の第２の実施形態による画像情報処理装置の全体構成を示すブロック図である。
【図７】図６に示した画像情報処理装置による記録処理時の動作を示したフローチャートである。
【図８】図６に示した画像情報処理装置による再生処理時の動作を示したフローチャートである。
【図９】１つの番組内に存在する文字ＥＰの発生頻度を算出する方法の一例を示す図である。
【図１０】表示装置に表示される選択画面の一例を示す図である。
【図１１】１つの番組内に存在する文字ＥＰの発生頻度の時間的分布を示したグラフである
【図１２】この発明の第４の実施形態による画像情報処理装置の全体構成を示すブロック図である。
【図１３】図１２に示した画像情報処理装置による記録処理時の動作を示したフローチャートである。
【図１４】図１２に示した画像情報処理装置による再生処理時の動作を示したフローチャートである。
【図１５】この発明の第５の実施形態による画像情報処理装置の全体構成を示すブロック図である。
【図１６】図１５に示した画像情報処理装置による記録処理時の動作を示したフローチャートである。
【図１７】図１５に示した画像情報処理装置による再生処理時の動作を示したフローチャートである。
【符号の説明】
１，２，４，５  画像情報処理装置
０１００  映像信号記録部
０１０１  指定検索文字情報記憶部
０１０２  文字情報検出部
０１０３  文字情報比較部
０１０４  エントリポイント書き込み部
０１０５  記録媒体（ＤＶＤ−ＲＡＭ）
０１０６  検索部
０１０７  再生部
０２０１  文字情報記憶部
０２０２  文章切れ目検出部
０２０３  文章情報書き込み部
０４０１  輝度データ取得部
０４０２  輝度データ記憶部
０４０３  輝度比較部
０４０４  輝度変化画素数カウント部
０４０５  シーン変化判断部
０４０６  時刻記憶部
０４０７  シーン変化時刻書き込み部
０５０１  音声レベル検出部
０５０２  音声レベル比較部
０５０３  無音期間計測部
０５０４  話題変化判断部
０５０５  話題変化時刻書き込み部
【図１】
2004363729.tif 000003
【図２】
2004363729.tif 000004
【図３】
2004363729.tif 000005
【図４】
2004363729.tif 000006
【図５】
2004363729.tif 000007
【図６】
2004363729.tif 000008
【図７】
2004363729.tif 000009
【図８】
2004363729.tif 000010
【図９】
2004363729.tif 000011
【図１０】
2004363729.tif 000012
【図１１】
2004363729.tif 000013
【図１２】
2004363729.tif 000014
【図１３】
2004363729.tif 000015
【図１４】
2004363729.tif 000016
【図１５】
2004363729.tif 000017
【図１６】
2004363729.tif 000018
【図１７】
2004363729.tif 000019